【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
システムであって、
1つまたは複数の感知電極を有する指紋センサと、
コントローラであって、静電容量感知モードと超音波感知モードとの間で前記指紋センサを切り替え、かつ
前記指紋センサが前記静電容量感知モードにあるときに1つまたは複数の第1の駆動信号を前記1つまたは複数の感知電極に提供することと、
前記指紋センサが前記超音波感知モードにあるときに1つまたは複数の第2の駆動信号を前記1つまたは複数の感知電極に提供することであって、前記1つまたは複数の第2の駆動信号が、前記1つまたは複数の第1の駆動信号とは異なる、提供することと
を行うように構成される、コントローラと
を備え、
前記静電容量感知モードと前記超音波感知モードとの両方において同じ前記1つまたは複数の感知電極が使用される、
システム。
【請求項２】
前記コントローラが、
前記超音波感知モードにおいて前記1つまたは複数の第2の駆動信号を提供し、
前記静電容量感知モードにおいてハイインピーダンス状態にある
ように構成される増幅器を備える、請求項1に記載のシステム。
【請求項３】
前記コントローラは、前記静電容量感知モードにおいて前記指紋センサがタッチを検出することに基づいて、前記指紋センサを前記超音波感知モードに切り替えるように構成される、請求項1に記載のシステム。
【請求項４】
前記指紋センサを収容するモバイルデバイスをさらに備え、前記モバイルデバイスが、前記静電容量感知モードにおいて、または前記超音波感知モードにおいて、前記指紋センサによる前記タッチの検出に応答してスリープモードからウェイクアップするように構成される、請求項3に記載のシステム。
【請求項５】
前記コントローラが、
前記タッチに対応する指が前記静電容量感知モードでの前記指紋センサによって検出されることを表す割込み信号を、指紋認証を実行するためのアプリケーションプロセッサに提供することと、
タッチ検出しきい値を決定することであって、前記タッチ検出しきい値が、前記指紋センサに接触している指の接触領域に少なくとも部分的に基づき、前記タッチ検出しきい値が、指紋認証プロセス中に調整されることが可能である、決定することと、
前記静電容量感知モードまたは前記超音波感知モードのいずれかで動作しながら指リフトイベントを報告することと、
前記指紋センサに対応する温度を決定することであって、前記静電容量感知モードにおける前記タッチの前記検出が、前記温度に少なくとも部分的に基づく、決定することと
のうちの1つまたは複数を行うようにさらに構成される、請求項3に記載のシステム。
【請求項６】
前記コントローラは、前記指紋センサが前記静電容量感知モードにあるときに前記指紋センサの少なくとも1つの感知電極に提供されるバッファリングされた第1の駆動信号を生成するための回路構成を備える、請求項1に記載のシステム。
【請求項７】
前記指紋センサが、1つもしくは複数の圧電微小機械超音波トランスジューサ(PMUT)、1つもしくは複数の静電容量微細加工超音波トランスジューサ(CMUT)、ポリフッ化ビニリデン(PVDF)の1つもしくは複数の層、またはポリフッ化ビニリデン-トリフルオロエチレン(PVDF-TrFE)の1つもしくは複数の層を備える、請求項1に記載のシステム。
【請求項８】
前記指紋センサの前記1つまたは複数の感知電極が、第1の電極および第2の電極を備え、前記第1の電極は、前記指紋センサが前記静電容量感知モードにあるときに第1の信号を提供するために結合され、前記第2の電極は、前記指紋センサが前記超音波感知モードにあるときに第2の信号を提供するために結合され、
前記第1の電極および前記第2の電極が、モバイルデバイスのカバーガラスの下方、もしくは前記モバイルデバイスの後部カバーの下方に配置されるか、または
前記第1の電極および前記第2の電極が、ディスプレイデバイスのディスプレイの下方に配置され、前記ディスプレイデバイスの前記ディスプレイが、前記静電容量感知モードもしくは前記超音波感知モードのいずれかにおいて指タッチが検出されると前記指紋センサの位置を示すか、または
前記第1の電極がタッチスクリーン電極であるか、または
前記第1の電極もしくは前記第2の電極のうちの少なくとも一方が、指ジェスチャを検出するように構成される、
請求項1に記載のシステム。
【請求項９】
前記コントローラが、
デバイス内加速度計もしくはデバイス内ジャイロスコープからの動きの変化もしくは向きの変化の表示時に、前記1つもしくは複数の感知電極を前記超音波感知モードで構成することか、
デバイス内加速度計またはデバイス内ジャイロスコープからの動きの変化もしくは向きの変化の表示時に、前記静電容量感知モードもしくは前記超音波感知モードでの指検出レートを調整することか、または
デバイス内加速度計またはデバイス内ジャイロスコープからの動きの変化または向きの変化の表示時に、タッチ検出しきい値を調整すること
のうちの1つまたは複数を実行するように構成される、請求項1に記載のシステム。
【請求項１０】
前記コントローラが、前記静電容量感知モードにおいて音響的に生成された圧電信号を検出するように構成され、前記音響的に生成された圧電信号が、タップ、こすること、または指からの音響放射から生じる、請求項1に記載のシステム。
【請求項１１】
指紋センサを動作させるための方法であって、
前記指紋センサを静電容量感知モードで動作させるステップであって、前記指紋センサが1つまたは複数の感知電極を有し、コントローラが、静電容量感知モードと超音波感知モードとの間で前記指紋センサを切り替えるように構成され、同じ前記1つまたは複数の感知電極が、前記静電容量感知モードと前記超音波感知モードとの両方において使用される、ステップと、
前記静電容量感知モードで動作する前記指紋センサによって、物体が前記1つまたは複数の感知電極にタッチしたことを判定するステップと、
前記コントローラを用いて、前記超音波感知モードで機能するように前記指紋センサを切り替えるステップと
を備え、前記コントローラが、
前記超音波感知モードでの前記指紋センサを使用して前記物体が指であるかどうかを判定するステップ、および
前記指の指紋を認証するようにアプリケーションプロセッサに命令するステップ
のうちの一方または両方を実行する、方法。
【請求項１２】
前記超音波感知モードで機能するように前記指紋センサを切り替えるステップが、前記指紋センサの電極に駆動信号を提供するように増幅器を駆動するステップを備える、請求項11に記載の方法。
【請求項１３】
前記指紋センサを前記静電容量感知モードで動作させるステップが、ハイインピーダンス状態で動作するように増幅器を制御するステップを備える、請求項11に記載の方法。
【請求項１４】
前記指紋を認証するように前記アプリケーションプロセッサに命令するステップが、前記超音波感知モードでの前記指紋センサを使用して、前記物体が指であると決定されることを表す割込み信号をアサートするステップを備える、請求項11に記載の方法。
【請求項１５】
請求項11〜14のいずれか一項に従う指紋センサを構成するために方法を実行させるための、コントローラの1つまたは複数のプロセッサによって実行可能な命令を記憶する非一時的コンピュータ可読記録媒体。